(57)【要約】【課題】バックシートが折り返されて重なって接着される吸収性物品及びインナー吸収性物品において、装着感の向上を実現すること。【解決手段】  インナーパッド（１）における、トップシート（１０ａ）とバックシート（１０ｂ）との間に介装される吸収体（１２）の長手方向の中央側を、その吸収体の長手方向の両端部の幅より狭く形成することにより、人体の股下部に対してフィットしやすくするとともに、バックシートの幅方向の端部を、バックシートの内側へ折り返して積層し、その積層したバックシート同士を接着剤からなる接着剤層（２０）により接着する際に、バックシートが折り曲げられた折曲部（１００）は、接着剤を配しない接着剤非塗布領域として、その折曲部が断面視においてループ状に弾性変形することができるようにすることにより、インナーパッドの装着感を向上させるようにした。【選択図】図３
2005205038.tif 000002
【特許請求の範囲】
【請求項１】
人体との接触面側に設けられるトップシートと、人体との接触面と反対面側に設けられるバックシートと、前記トップシートと前記バックシートとの間に介装される吸収体とを備える吸収性物品において、
前記吸収体の長手方向の中央側は、当該吸収体の長手方向の両端部の幅より狭く形成されており、
前記バックシートの幅方向の端部は、それぞれ当該バックシートの内側へ折り返されて積層されるとともに、当該バックシートが折り返された折り返し部には、接着剤が塗布される接着剤塗布領域と、接着剤が塗布されない接着剤非塗布領域が形成され、
前記接着剤非塗布領域は、少なくとも前記吸収体の幅が狭く形成された部分に対応する位置であって、前記折り返し部の折り返し起点部を含む位置に設けられていることを特徴とする吸収性物品。
【請求項２】
前記接着剤非塗布領域は、前記バックシートの長手方向に亘って前記折り返し起点部を含んで帯状に設けられていることを特徴とする請求項１に記載の吸収性物品。
【請求項３】
前記接着剤非塗布領域は、前記吸収体の幅が狭く形成された部分に対応する位置であって、前記折り返し起点部から前記吸収体まで設けられていることを特徴とする請求項１に記載の吸収性物品。
【請求項４】
前記接着剤非塗布領域は、前記吸収体の幅が狭く形成された部分に対応する位置であって、前記折り返し起点部から前記吸収体の手前部分にまで設けられていることを特徴とする請求項１に記載の吸収性物品。
【請求項５】
人体との接触面側に設けられるトップシートと、人体との接触面と反対面側に設けられるバックシートと、前記トップシートと前記バックシートとの間に介装される吸収体とを備えるインナー吸収性物品において、
前記吸収体の長手方向の中央側は、当該吸収体の長手方向の両端部の幅より狭く形成されており、
前記バックシートの幅方向の端部は、それぞれ当該バックシートの内側へ折り返されて積層されるとともに、当該バックシートが折り返された折り返し部には、接着剤が塗布される接着剤塗布領域と、接着剤が塗布されない接着剤非塗布領域が形成され、
前記接着剤非塗布領域は、少なくとも前記吸収体の幅が狭く形成された部分に対応する位置であって、前記折り返し部の折り返し起点部を含む位置に設けられていることを特徴とするインナー吸収性物品。
【発明の詳細な説明】
【技術分野】
【０００１】
本発明は、吸収性物品及びインナー吸収性物品に関する。
【背景技術】
【０００２】
従来、使い捨ての紙おむつや尿取りパッド、生理用ナプキン等の吸収性物品として、トップシートとバックシートの間に吸収体を介在させて成るものが知られている。そして、例えば、紙おむつを下腹部に着用することによって、失禁により排出された尿などの体液をその紙おむつに備えられた吸収体に吸収させることができる。
このような吸収性物品における吸収体が下腹部、特に股下部（そけい部）において人体にフィットしやすいように、吸収体の長手方向の中央側の幅を、細くくびれさせ、砂時計形状としたものが知られている（例えば、特許文献１参照。）。
【特許文献１】特開２００３−２６５５２１号公報（第４図）
【発明の開示】
【発明が解決しようとする課題】
【０００３】
しかしながら、上記特許文献１の場合、吸収性物品５におけるトップシート６とバックシート７が吸収体８を覆う面の全面には、それぞれ接着剤層９が配されているので、図８に示すように、吸収体８のくびれた部分においてバックシート７が折り返されて重なった部分は、バックシート７同士が接着してしまうことになる。
このように、バックシート７同士が接着してしまった部分は、バックシート２枚分の厚みを有するとともに、そのバックシート７の間に接着剤層９が介在するため、比較的硬い状態になってしまうので、吸収体自体がくびれていても、硬くなってしまったバックシート７部分が人体に触れることとなり、吸収性物品５の装着感を損ねる場合があった。
【０００４】
本発明の課題は、バックシートが折り返されて重なって接着される吸収性物品及びインナー吸収性物品において、装着感の向上を図ることである。
【課題を解決するための手段】
【０００５】
以上の課題を解決するため、請求項１記載の発明は、
人体との接触面側に設けられるトップシート（例えば、トップシート１０ａ）と、人体との接触面と反対面側に設けられるバックシート（例えば、バックシート１０ｂ）と、前記トップシートと前記バックシートとの間に介装される吸収体（例えば、吸収体１２）とを備える吸収性物品（例えば、インナーパッド１）において、
前記吸収体の長手方向の中央側は、当該吸収体の長手方向の両端部の幅より狭く形成されており、
前記バックシートの幅方向の端部は、それぞれ当該バックシートの内側へ折り返されて積層されるとともに、当該バックシートが折り返された折り返し部（例えば、折り返し部１００ｂ）には、接着剤が塗布される接着剤塗布領域（例えば、接着剤層２０）と、接着剤が塗布されない接着剤非塗布領域（例えば、接着剤非塗布領域２１）が形成され、
前記接着剤非塗布領域は、少なくとも前記吸収体の幅が狭く形成された部分に対応する位置であって、前記折り返し部の折り返し起点部（例えば、折曲部１００）を含む位置に設けられていることを特徴とする。
【０００６】
請求項１記載の発明によれば、吸収性物品において、バックシートの幅方向の端部は、それぞれ当該バックシートの内側へ折り返されて積層されており、そのバックシートの折り返し部に塗布された接着剤により接着されている。
そして、このバックシートが折り曲げられた折り返し起点部を含む位置であって、少なくとも吸収体の幅が狭く形成された部分に対応する位置は、接着剤を配しない接着剤非塗布領域となっているので、バックシートが折り曲げられた折り返し起点部は、断面視においてループ状に変形することができるようになっている。
つまり、吸収性物品を人体に装着する際に、吸収体を覆うバックシートの折り曲げられた端部である折り返し起点部における、特に人体に接触しやすい箇所（ここでは、吸収性物品における吸収体の幅が狭く形成された部分に対応する箇所）においては、その折り返し起点部が人体との接触面積を広げるようにループ状に弾性変形するようになっているので、人体に対して柔らかく接触するようになり、吸収性物品の装着感が良好であるようにすることができる。
【０００７】
また、トップシートとバックシートとの間に介装される吸収体は、その吸収体の長手方向の中央側が、当該吸収体の長手方向の両端部の幅より狭く形成されているので、砂時計様の形状を呈するようになっている。そして、吸収性物品を人体に装着する際に、その幅が狭くなっている吸収体の長手方向の中央側は、人体の股下部に対してフィットしやすくなっている。
【０００８】
そして、吸収体は、トップシートとバックシートとにより覆われているが、吸収体の幅が狭く形成された部分においては、トップシートとバックシートの間には吸収体がないので、トップシートとバックシートのみの部分が人体に対して接触しやすくなっている。
ここで、吸収性物品を人体に装着し、吸収性物品における人体の股下部に相当する位置において、吸収体が人体にフィットする際に、吸収体を覆うバックシートの折り曲げられた端部である折り返し起点部は、断面視においてループ状に弾性変形し、人体に対して柔らかく接触することができるようになっているので、良好な装着感が得られる。
よって、このような吸収性物品は、装着感が良好な吸収性物品であるといえる。
【０００９】
請求項２記載の発明は、請求項１に記載の吸収性物品において、
前記接着剤非塗布領域は、前記バックシートの長手方向に亘って前記折り返し起点部を含んで帯状に設けられていることを特徴とする。
【００１０】
請求項２記載の発明によれば、請求項１に記載の発明と同様の作用を奏するとともに、接着剤非塗布領域は、バックシートの長手方向に亘って前記折り返し起点部を含んで帯状に設けられているので、吸収性物品を人体に装着する際に、吸収体を覆うバックシートの折り曲げられた端部である折り返し起点部は、人体との接触面積を広げるようにループ状に弾性変形するようになっており、人体に対して柔らかく接触するようになり、吸収性物品の装着感が良好であるようにすることができる。
【００１１】
請求項３記載の発明は、請求項１に記載の吸収性物品において、
前記接着剤非塗布領域は、前記吸収体の幅が狭く形成された部分に対応する位置であって、前記折り返し起点部から前記吸収体まで設けられていることを特徴とする。
【００１２】
請求項３記載の発明によれば、請求項１に記載の発明と同様の作用を奏するとともに、接着剤非塗布領域は、吸収体の幅が狭く形成された部分に対応する位置であって、折り返し起点部から吸収体まで設けられているので、吸収性物品を人体に装着する際に、吸収体を覆うバックシートの折り曲げられた端部である折り返し起点部は、人体との接触面積を広げるようにループ状に弾性変形するようになっており、人体に対して柔らかく接触するようになり、吸収性物品の装着感が良好であるようにすることができる。
【００１３】
請求項４記載の発明は、請求項１に記載の吸収性物品において、
前記接着剤非塗布領域は、前記吸収体の幅が狭く形成された部分に対応する位置であって、前記折り返し起点部から前記吸収体の手前部分にまで設けられていることを特徴とする。
【００１４】
請求項４記載の発明によれば、請求項１に記載の発明と同様の作用を奏するとともに、接着剤非塗布領域は、吸収体の幅が狭く形成された部分に対応する位置であって、折り返し起点部から吸収体の手前部分にまで設けられているので、吸収性物品を人体に装着する際に、吸収体を覆うバックシートの折り曲げられた端部である折り返し起点部は、人体との接触面積を広げるようにループ状に弾性変形するようになっており、人体に対して柔らかく接触するようになり、吸収性物品の装着感が良好であるようにすることができる。
【００１５】
請求項５記載の発明は、
人体との接触面側に設けられるトップシート（例えば、トップシート１０ａ）と、人体との接触面と反対面側に設けられるバックシート（例えば、バックシート１０ｂ）と、前記トップシートと前記バックシートとの間に介装される吸収体（例えば、吸収体１２）とを備えるインナー吸収性物品（例えば、インナーパッド１）において、
前記吸収体の長手方向の中央側は、当該吸収体の長手方向の両端部の幅より狭く形成されており、
前記バックシートの幅方向の端部は、それぞれ当該バックシートの内側へ折り返されて積層されるとともに、当該バックシートが折り返された折り返し部（例えば、折り返し部１００ｂ）には、接着剤が塗布される接着剤塗布領域（例えば、接着剤層２０）と、接着剤が塗布されない接着剤非塗布領域（例えば、接着剤非塗布領域２１）が形成され、
前記接着剤非塗布領域は、少なくとも前記吸収体の幅が狭く形成された部分に対応する位置であって、前記折り返し部の折り返し起点部（例えば、折曲部１００）を含む位置に設けられていることを特徴とする。
【００１６】
請求項５記載の発明によれば、インナー吸収性物品において、バックシートの幅方向の端部は、それぞれ当該バックシートの内側へ折り返されて積層されており、そのバックシートの折り返し部に塗布された接着剤により接着されている。
そして、このバックシートが折り曲げられた折り返し起点部を含む位置であって、少なくとも吸収体の幅が狭く形成された部分に対応する位置は、接着剤を配しない接着剤非塗布領域となっているので、バックシートが折り曲げられた折り返し起点部は、断面視においてループ状に変形することができるようになっている。
つまり、インナー吸収性物品を人体に装着する際に、吸収体を覆うバックシートの折り曲げられた端部である折り返し起点部における、特に人体に接触しやすい箇所（ここでは、インナー吸収性物品における吸収体の幅が狭く形成された部分に対応する箇所）においては、その折り返し起点部が人体との接触面積を広げるようにループ状に弾性変形するようになっているので、人体に対して柔らかく接触するようになり、インナー吸収性物品の装着感が良好であるようにすることができる。
【００１７】
また、トップシートとバックシートとの間に介装される吸収体は、その吸収体の長手方向の中央側が、当該吸収体の長手方向の両端部の幅より狭く形成されているので、砂時計様の形状を呈するようになっている。そして、インナー吸収性物品を人体に装着する際に、その幅が狭くなっている吸収体の長手方向の中央側は、人体の股下部に対してフィットしやすくなっている。
【００１８】
そして、吸収体は、トップシートとバックシートとにより覆われているが、吸収体の幅が狭く形成された部分においては、トップシートとバックシートの間には吸収体がないので、トップシートとバックシートのみの部分が人体に対して接触しやすくなっている。
ここで、インナー吸収性物品を人体に装着し、インナー吸収性物品における人体の股下部に相当する位置において、吸収体が人体にフィットする際に、吸収体を覆うバックシートの折り曲げられた端部である折り返し起点部は、断面視においてループ状に弾性変形し、人体に対して柔らかく接触することができるようになっているので、良好な装着感が得られる。
よって、このようなインナー吸収性物品は、装着感が良好な吸収性物品であるといえる。
【発明の効果】
【００１９】
請求項１記載の発明によれば、吸収性物品において、バックシートが折り曲げられた折り返し起点部を含む位置であって、少なくとも吸収体の幅が狭く形成された部分に対応する位置は、接着剤を配しない接着剤非塗布領域になっており、その折り返し起点部は、断面視においてループ状に変形することができるようになっているので、吸収性物品の幅方向の端部が人体と接触する際には、折り返し起点部が人体との接触面積を広げるようにループ状に弾性変形することにより、人体に対して柔らかく接触するようになる。
また、トップシートとバックシートとの間に介装される吸収体は、その吸収体の長手方向の中央側が、当該吸収体の長手方向の両端部の幅より狭く形成されているので、吸収性物品を人体に装着する際に、その幅が狭くなっている吸収体の長手方向の中央側は、人体の股下部に対してフィットしやすくなっている。
そして、吸収性物品を人体に装着し、吸収性物品における人体の股下部に相当する位置において、吸収体が人体にフィットする際に、吸収体を覆うバックシートの折り曲げられた端部である折り返し起点部は、断面視においてループ状に弾性変形し、人体に対して柔らかく接触することができるようになっているので、良好な装着感が得られる。
よって、このような吸収性物品は、装着感が良好な吸収性物品であるといえる。
【００２０】
請求項２、請求項３、請求項４記載の発明によれば、吸収性物品を人体に装着する際に、吸収体を覆うバックシートの折り曲げられた端部である折り返し起点部は、人体との接触面積を広げるようにループ状に弾性変形するようになっているので、人体に対して柔らかく接触するようになり、吸収性物品の装着感が良好であるようにすることができる。
【００２１】
請求項５記載の発明によれば、インナー吸収性物品において、バックシートが折り曲げられた折り返し起点部を含む位置であって、少なくとも吸収体の幅が狭く形成された部分に対応する位置は、接着剤を配しない接着剤非塗布領域になっており、その折り返し起点部は、断面視においてループ状に変形することができるようになっているので、インナー吸収性物品の幅方向の端部が人体と接触する際には、折り返し起点部が人体との接触面積を広げるようにループ状に弾性変形することにより、人体に対して柔らかく接触するようになる。
また、トップシートとバックシートとの間に介装される吸収体は、その吸収体の長手方向の中央側が、当該吸収体の長手方向の両端部の幅より狭く形成されているので、インナー吸収性物品を人体に装着する際に、その幅が狭くなっている吸収体の長手方向の中央側は、人体の股下部に対してフィットしやすくなっている。
そして、インナー吸収性物品を人体に装着し、インナー吸収性物品における人体の股下部に相当する位置において、吸収体が人体にフィットする際に、吸収体を覆うバックシートの折り曲げられた端部である折り返し起点部は、断面視においてループ状に弾性変形し、人体に対して柔らかく接触することができるようになっているので、良好な装着感が得られる。
よって、このようなインナー吸収性物品は、装着感が良好なインナー吸収性物品であるといえる。
【発明を実施するための最良の形態】
【００２２】
以下、本発明の実施の形態を図１から図７に基づいて説明する。
本実施の形態では、吸収性物品として、使い捨て紙おむつの内部に備えて使用するインナーパッドを一例として説明する。特にインナー吸収性物品とは、そのインナーパッドのように、使い捨て紙おむつ等の内部に備えて使用する吸収性物品のことである。
図１は、本実施の形態におけるインナーパッドを展開した斜視図である。また、図２は、同インナーパッドの平面図であり、図３は、図２のIII−III線における断面図である。
図１〜図３に示すように、吸収性物品であるインナーパッド１は、インナーパッド本体１０と、左右一対のギャザーシート１１，１１等により構成されている。
【００２３】
インナーパッド本体１０は、人体との接触面側に設けられ、尿などの体液を速やかに透過させる透液性のトップシート１０ａと、人体との接触面と反対側に設けられる、不透液性のバックシート１０ｂと、これらバックシート１０ｂとトップシート１０ａとの間に介装される吸収体１２等により構成されている。
また、このインナーパッド本体１０においては、人体の股部を腹側から背側にかけて覆うように、一方の端部に腹側部１４が形成され、他方の端部に背側部１５が形成されている。また、腹側部１４と背側部１５との間が股下部１６となっている。
【００２４】
トップシート１０ａは、有孔または無孔の不織布や、多孔性プラスチックシートなどにより形成されている。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維を用いることができる。また、不織布を製造する方法としては、公知の方法を適宜用いることができ、例えば、スパンレース法、スパンボンド法、サーマルボンド法、メルトブロー法、ニードルパンチ法、或いはこれらを組み合わせた方法等によって不織布を製造することができる。
トップシート１０ａに多数の透孔を形成した場合には、体液がより速やかに吸収されるようになり、ドライタッチ性に優れたものとなる。
【００２５】
バックシート１０ｂは、ポリエチレン等の少なくとも遮水性を有するシート材により形成されている。また、ムレ防止の観点から透湿性を有するシート材であることが好ましく、この遮水性と透湿性とを具備するシート材としては、ポリエチレンやポリプロピレン等のオレフィン系樹脂中に無機充填剤を溶融混練してシートを成形した後、一軸または二軸方向に延伸することにより得られる微多孔性シート材が好適に用いられる。
【００２６】
図３に示されるように、このバックシート１０ｂの幅方向の端部は、それぞれバックシート１０ｂの内側へ向けて折り返されて、トップシート１０ａを挟み込むようになっている。そして、バックシート１０ｂが折り返される折り返し部１００ｂに、ホットメルトなどの接着剤からなる接着剤層２０が接着剤塗布領域として備えられており、折り返されて積層されたバックシート１０ｂ同士を接着している。
なお、バックシート１０ｂの幅方向の端部は、それぞれトップシート１０ａと反対面側の裏面側へ折り返してもよい。
【００２７】
ここで、バックシート１０ｂの折り返し部１００ｂにおける、バックシート１０ｂが折り曲げられた折り返し起点部である折曲部１００を含む帯状の領域には、接着剤を配しない接着剤非塗布領域２１を形成し、折曲部１００においては、バックシート１０ｂ同士が接着しないようになっている。
なお、接着剤層２０は、図２に示すように、バックシート１０ｂの折曲部１００に配しないように、インナーパッド本体１０の腹側部１４から背側部１５に亘って備えられている。
【００２８】
吸収体１２は、インナーパッド１の使用時に、体液としての尿等の水様成分を吸収するものであり、綿やパルプ等の吸収性素材や、高吸水性樹脂（ＳＡＰ；Super Absorbent Polymer）や、繊維或いはフィルム等のシート状基材とを組み合わせて形成される。
吸収体１２は、インナーパッド本体１０の腹側部１４側から背側部１５側に亘る長さに形成され、この吸収体１２の長手方向の中央側は、吸収体１２の両端部の幅より狭く形成されている。つまり、吸収体１２の略中央部である股下部１６に相当する部分は、吸収体１２の両端部である腹側部１４や背側部１５に相当する部分より、幅が狭く形成されて、砂時計様の形状を呈している。
このように、吸収体１２の略中央部である股下部１６に相当する部分の幅を、その長手方向の両端部に比べて狭く形成することにより、インナーパッド１（インナーパッド本体１０）を人体に装着した際に、人体の股下部（そけい部）において、吸収体１２が人体にフィットしやすくなっている。
【００２９】
ギャザーシート１１，１１は、インナーパッド本体１０におけるトップシート１０ａ側に折り返されたバックシート１０ｂに、腹側部１４から背側部１５に亘って備えられている。このギャザーシート１１，１１は、不透液性のシートを二つ折りにし、折り合わされた面を、例えば、ホットメルトやヒートシール等により固着させることにより形成されている。ギャザーシート１１において、その不透液性のシートを二つ折りにした折り返し部分側の端部を自由端部１１ａ、バックシート１０ｂに固定される端部を固定端部１１ｂとする。
このギャザーシート１１の自由端部１１ａには、ギャザーシート１１の長手方向に沿って、複数の糸ゴム、ポリウレタン繊維等の弾性部材１８が略平行に備えられている。このギャザーシート１１，１１がインナーパッド本体１０に固定された状態において、自由端部１１ａがインナーパッド本体１０から立設することにより、立体ギャザーが形成される。そして、この弾性部材１８により立体ギャザーは、着用者の体型に合わせて伸縮自在に変形し、着用者にフィットしやすい構造となっている。
なお、ギャザーシート１１の固定端部１１ｂは、バックシート１０ｂが折り返された折り返し部１００ｂにおいて、トップシート１０ａ側と反対側の面に固定されている。
【００３０】
このように、インナーパッド本体１０の幅方向の縁部において、トップシート１０ａ側の面に立設するギャザーシート１１，１１が設けられているので、排出された体液のうち、トップシート１０ａから吸収体１２に吸収されきれず、インナーパッド本体１０の幅方向の縁部側へ流出した体液がギャザーシート１１により一度止められ、長手方向にその流れを拡散するなどし、吸収体１２へ吸収させることにより、体液の横漏れを防ぐ効果が期待できる。
特に、ギャザーシート１１は、バックシート１０ｂがトップシート１０ａ側に折り返された折り返し部１００ｂに固定されているので、ギャザーシート１１とともにバックシート１０ｂが体液を塞き止めることができるこことなって、より体液の横漏れを防ぐことができるようになっている。
【００３１】
次に、本発明のインナーパッド１におけるバックシート１０ｂにおいて、バックシート１０ｂの折り返し部１００ｂが折り返されて積層された部分を接着する接着剤層２０を、バックシート１０ｂが折り曲げられた折曲部１００には備えないように接着剤非塗布領域２１を設け、折曲部１００の端部側ではバックシート１０ｂ同士を接着しないようにした効果について説明する。
【００３２】
インナーパッド１を使用するため、インナーパッド１を人体に装着する場合、インナーパッド１の股下部１６における幅方向の端部が、人体のそけい部（足の付け根）に対して当接するようになる。
この際、図４（ａ）に示されるように、バックシート１０ｂが折り返された折り返し部の折曲部１００に対し、図中矢印の向きに力が作用する。
このように折曲部１００に力が作用すると、図４（ｂ）に示されるように、バックシート１０ｂ同士が接着していない折曲部１００は、断面視においてループ状に広がるようになる。それにより、インナーパッド１の股下部１６において、人体と接触する端部である折曲部１００が丸みを帯びるとともに、人体との接触面積を広げるようになる。つまり、その断面視においてループ状となった折曲部１００（バックシート１０ｂ）が弾性変形することにより、人体に対して柔らかく接触するようになる。
【００３３】
このように、インナーパッド１を人体に装着する際、インナーパッド１の股下部１６において人体と接触する端部（折曲部１００）が、その断面視においてループ状に弾性変形することにより、人体に対して柔らかく接触するようになるので、上記のような折曲部１００を有するインナーパッド１は、装着感が良好なインナーパッドとすることができる。
特に、インナーパッド１の吸収体１２の股下部１６に相当する部分の幅を、その長手方向の両端部に比べて狭く形成することにより、人体の股下部（そけい部）に対してフィットしやすい形状としているので、より良好な装着感が得られる。
【００３４】
なお、インナーパッド１の股下部１６において人体と接触する端部である折曲部１００が、その断面視においてループ状に弾性変形するようにするための接着剤の備え方は上記の図２のような形態に限るものではなく、バックシート１０ｂが折り曲げられた折曲部１００における、吸収体１２の幅が狭く形成された部分に対応する箇所に、接着剤を備えないようにすればよい。
【００３５】
例えば、図５に示すように、インナーパッド１ａにおける、バックシート１０ｂの幅方向の端部を折り返して積層した部分（折り返し部１００ｂ）で、そのバックシート１０ｂ同士を接着するための接着剤を、インナーパッド本体１０の腹側部１４と背側部１５に相当する位置においては、積層されて重なったバックシート１０ｂの全面に備えるとともに、吸収体１２の幅が狭く形成された部分である股下部１６に対応する位置においてはバックシート１０ｂの折曲部１００に配しないように、腹側部１４から背側部１５に亘って直線的に備えるような接着剤塗布領域としての接着剤層２０ａを設けるとともに、接着剤非塗布領域２１ａを設けるようにしてもよい。
【００３６】
また、図６に示すように、インナーパッド１ｂにおける、バックシート１０ｂの幅方向の端部１００ｂを折り返して積層した部分（折り返し部１００ｂ）で、そのバックシート１０ｂ同士を接着するための接着剤を、インナーパッド本体１０の腹側部１４と背側部１５に相当する位置においてのみ、積層されて重なったバックシート１０ｂの全面に備えるような接着剤塗布領域としての接着剤層２０ｂを設けるとともに、接着剤非塗布領域２１ｂを設けるようにしてもよい。
【００３７】
また、図７に示すように、インナーパッド１ｃにおける、バックシート１０ｂの幅方向の端部１００ｂを折り返して積層した部分（折り返し部１００ｂ）で、そのバックシート１０ｂ同士を接着するための接着剤を、インナーパッド本体１０の腹側部１４と背側部１５に相当する位置においては、積層されて重なったバックシート１０ｂの全面に備えるとともに、吸収体１２の幅が狭く形成された部分である股下部１６に対応する位置においてはバックシート１０ｂの折曲部１００に配しないように、腹側部１４から背側部１５に亘って、その折り返し起点部１００から内側に湾曲するように備えるような接着剤塗布領域としての接着剤層２０ｃを設けるとともに、接着剤非塗布領域２１ｃを設けるようにしてもよい。
【００３８】
なお、以上の実施の形態においては、吸収性物品としてインナーパッドを例に説明したが、本発明はこれに限定されるものではなく、本発明のインナーパッドの構成を、吸収性物品である紙おむつや紙パンツ、生理用ナプキンなどに適用してもよい。
【００３９】
また、バックシート１０ｂは透液性であってもよい。
【００４０】
また、その他、具体的な細部構造等についても適宜に変更可能であることは勿論である。
【図面の簡単な説明】
【００４１】
【図１】本発明にかかるインナーパッドの斜視図である。
【図２】本発明にかかるインナーパッドの平面図である。
【図３】図２のIII−III線における断面図である。
【図４】図３のIV部分の拡大図（ａ）と、その部分が変形する際の説明図（ｂ）である。
【図５】本発明にかかるインナーパッドの変形例を示す平面図である。
【図６】本発明にかかるインナーパッドの変形例を示す平面図である。
【図７】本発明にかかるインナーパッドの変形例を示す平面図である。
【図８】従来のインナーパッドの断面図である。
【符号の説明】
【００４２】
１      インナーパッド（吸収性物品、インナー吸収性物品）
１０    インナーパッド本体
１０ａ  トップシート
１０ｂ  バックシート
１００ｂ  折り返し部
１００  折曲部（折り返し起点部）
１１    ギャザーシート
１１ａ  自由端部
１１ｂ  固定端部
１２    吸収体
１４    腹側部
１５    背側部
１６    股下部
１８    弾性部材
２０、２０ａ、２０ｂ、２０ｃ  接着剤層（接着剤塗布領域）
２１、２１ａ、２１ｂ、２１ｃ  接着剤非塗布領域
【図１】
2005205038.tif 000003
【図２】
2005205038.tif 000004
【図３】
2005205038.tif 000005
【図４】
2005205038.tif 000006
【図５】
2005205038.tif 000007
【図６】
2005205038.tif 000008
【図７】
2005205038.tif 000009
【図８】
2005205038.tif 000010